(57)【要約】【課題】お茶を美味しく簡単にいれられるようにしたタイマー機能付きお茶いれ機を提供する。【解決手段】本体１、延伸棒台座２、固定部３、カップ４、上蓋５、タイマー６、駆動リング７、始動リング８を備えて構成し、上記本体１に茶葉９０を装入し、一般の容器９１に湯を注いだ後上記上蓋５を回転させて所望の時間に設定し、設定時間内で茶葉９１が湯内で蒸らされると自動的に茶葉が湯より引き上げられる。【選択図】  図１
2007175219.tif 000002
【特許請求の範囲】
【請求項１】
本体、延伸棒台座、固定部、カップ、上蓋、タイマー、駆動リング、始動リングを備えたタイマー機能付きお茶いれ機において、
内部に収容室を有し、該収容室の壁面に滑動溝を設け、且つ該収容室内に環状溝を設けると共に該収納室の中間に底部を貫通する穿孔を設け、上記環状溝上にスプリングを配置する一方、底部に凹型室を設け、該凹型室内に突出部を設け、該突出部内に凹型槽を設け、該凹型槽に濾過部を設置し、該濾過部中間に空洞部を設け、該濾過部の壁面上に複数の濾過孔を有する本体と、
上記本体の収容室内に設置され、側壁に等間隔で複数のガイドブロックを設け、該ガイドブロックの片側は傾斜面を呈し、その内一つのガイドブロックの側壁に突起部を設け、また底部に延伸棒を設置し、該延伸棒の底部にストッパーを有する延伸棒台座と、
上記本体の収容室内に固定され、最上部中間にキャッチ部を有する固定部と、
上記本体下方に設置され、底部に穿孔を有するカップと、
上記本体上方より蓋をする状態で設置される上蓋と、
該上蓋内に固定され、底部に伝動ギアとキャッチ部を有するタイマーと、
該タイマーの下方に設置され、貫通孔を有する駆動リングと、
該駆動リング上に設置され、底部に等間隔で複数の始動片が設けられ、且つ片側が傾斜面を呈する始動リングと、
を具備することを特徴とするタイマー機能付きお茶いれ機。  
【請求項２】
上記本体の収容室内にはねじ穴を設けた数個の柱を有し、且つ上記延伸棒台座の最上部には該柱に対応した数個の穿孔を有し、上記固定部上にはボルトを挿通する数個の穿孔を有し、更に該固定部の最上面に貫通孔を設け、該貫通孔の底部に定位部を有し、枢軸により定位嵌合部を定位部内に樞設し、該定位嵌合部上端個所にスプリングを設け、該スプリングを上記貫通孔内に配置し、上記延伸棒台座の最上部に定位部が係入する貫通孔を設け、上記延伸棒台座の延伸棒の底部付近に環状溝を設け、上記ストッパー上に嵌合溝を設け、且つ該ストッパーはラバー材質により構成し、上記駆動リングの底部に駆動ブロックを設け、上記定位嵌合部を押圧し、該駆動リングの周縁に数個のピンを設け、該始動リングの壁面に数個の穿孔を設け、該穿孔内にピンを係入し、該ピンを上記駆動リングのピン孔内に挿設することを特長とする請求項１記載のタイマー機能付きお茶いれ機。
【請求項３】
上記上蓋は溝を有し、該溝内には穿孔を設け、上記ボルトは該穿孔内に挿通され、上記タイマーの最上部にボルトホールを設け、上記ボルトを上記上蓋の穿孔を挿通して該タイマーのボルトホールに螺合して上蓋をタイマーに固定し、該タイマーの底部に柱を設け、上記駆動リング上に穿孔を設けてボルトを上記タイマーの柱に螺合して駆動リングをタイマーに固定し、上記本体の底部に凸型縁を設け、該凸型縁に嵌合体を設け、上記カップの最上部に嵌合縁を設けることを特長とする請求項１記載のタイマー機能付きお茶。
【発明の詳細な説明】
【技術分野】
【０００１】
本発明は、タイマー機能付きお茶いれ機に係り、特に時間設定のできるタイマーに他の機能を併せ持たせて、茶葉が湯に浸る時間が長すぎて渋くならないように、設定した時間により自動で茶葉を湯（お茶）から出す構造を備えたタイマー機能付きお茶入れ機に関する。
【背景技術】
【０００２】
お茶は、多くの人々の生活において欠かせない存在となっており、香り高いお茶を楽しむには、注ぐ湯の温度や茶葉を湯の中で蒸らす時間が重要となっている。
【０００３】
本格的にお茶を入れる作法は複雑であるため、一般に会社等でお茶を飲む場合には単に急須が用いられることが多く、急須の中には濾過用の網が設けられており、茶葉を濾過網の中にいれ、お湯を茶葉に注ぐことで茶葉が急須の中で湯に浸され、蓋をすることで茶葉が適度に蒸らされて、飲用できる茶となる。
【発明の開示】
【発明が解決しようとする課題】
【０００４】
上述のように一般に用いられている急須等では、茶葉を急須の中で湯に浸したまま忘れてしまった場合等、苦くて渋いお茶となってしまう、或いは蒸らす時間が短すぎた場合には味気ないお茶ができてしまったりする。
【０００５】
本発明はこれらの事情に鑑みてなされたもので、お茶を美味しく簡単にいれられるタイマー機能付きお茶入れ機を提供することを目的とする。
【課題を解決するための手段】
【０００６】
本発明の一態様によるタイマー機能付きお茶入れ機は、本体、延伸棒台座、固定部、カップ、上蓋、タイマー、駆動リング、始動リングを備えて構成される。上記本体内には収容室を設け、該収容室の壁面には滑動槽を設け、該収容室内には環状溝を設け、該収容室の中間には底部に貫通する穿孔を設け、該環状溝上にはスプリングを設け、上記本体の底部には凹型室を設け、該凹型室内には突出部を設け、該突出部内には凹型槽を設け、該凹型槽には濾過部を接続している。
【０００７】
上記延伸棒台座は、上記本体の収容室内に設置され、該延伸棒台座の側壁は等間隔で複数のガイドブロックを設け、該ガイドブロックの片側を傾斜面とし、内一つのガイドブロックの側壁には突起部を設け、上記延伸棒台座の底部には延伸棒を設け、該延伸棒の底部にはストッパーを設けている。
【０００８】
また、最上部中間位置にキャッチ部を有する上記固定部を上記本体の収容室内に設置し、底部に穿孔を有する上記カップを本体下方に設置し、該本体上方に上蓋を設置し、底部に伝動ギアとキャッチ部を有するタイマーを上記上蓋内に固定し、貫通孔を有する駆動リングを上記タイマー下方に設置し、更に底部には傾斜面を有し等間隔で複数の始動片が設けられる始動リングを上記駆動リング上に設置している。
【発明の効果】
【０００９】
本発明によると、タイマーを設定するだけで茶葉が自動的に所望の設定時間内湯に浸され、手軽においしいお茶をいれることができる。
【発明を実施するための最良の形態】
【００１０】
以下、図面を参照して本発明の実施例を説明する。
【実施例】
【００１１】
図１、２に示すように、本実施例のタイマー機能付きお茶入れ機は、本体１、延伸棒台座２、固定部３、カップ４、上蓋５、タイマー６、駆動リング７、始動リング８を備えている。
【００１２】
上記本体１内には、収容室１０を設け、該収容室１０内にはねじ穴を有する数個の柱１１を設けている。上記収容室１０は、その片側に滑動槽１２を設けていると共に、内側に環状溝１３を設け、該収納室１０の中間には底部まで貫通する穿孔１４を設けている。上記本体１の底部には、凹型室１５を設け、該凹型室１５内には突出部１６を設け、該突出部１６内には凹型槽１７を設けている。また、上記凹型槽１７内には、濾過部１８の一端を固定し、該濾過部１８中間は空洞部１８０を有し、且つ該濾過部１８の壁面には複数の濾過孔１８１を設けている。上記本体１の底部周縁には、凸型縁１００を設け、該凸型縁１００上には数個の嵌合体１０１を設け、スプリング１９を上記収容室１０内の環状溝１３上に設置している。
【００１３】
上記延伸棒台座２は、上記本体１の収容室１０内に設けられている。この延伸棒台座２の最上部には、数個の穿孔２０及び貫通孔２１が設けられている。上記延伸棒台座２の側壁には、等間隔で数個のガイドブロック２２を設けている。該ガイドブロック２２は、その片側を傾斜面２３とし、該ガイドブロック２２の側壁に数個の突起部２４を設けている。上記延伸棒台座２の底部には、延伸棒２５を設けて、該延伸棒２５の下端付近に環状溝２６を設け、ラバー材質によるストッパー２７を上記延伸棒２５の下端に嵌設し、該ストッパー２７には嵌合溝２７０を設けている。
【００１４】
上記固定部３は、上記本体１の収容室１０内に設けられている。この固定部３には、ボルト３１を挿通する複数の穿孔３０を設け、これらボルト３１により上記本体の柱１１上に固定されている。上記固定部３の最上部中間には、キャッチ部３２を設け、該固定部３の最上部には更に貫通孔３３を設け、該貫通孔３３の底部には定位部３４を設け、定位嵌合部３５を枢軸３６によって該定位部３４内に枢設並びに定位し、該定位嵌合部３５の上端付近に設けたスプリング３７を上記貫通孔３３内に位置させている。
【００１５】
上記カップ４は、上記本体１の下方に設け、該カップ４内の最上部には嵌合縁４０を設け、更に該カップ４底部には穿孔４１を設けている。
【００１６】
上記上蓋５は、上記本体１上方に設け、該上蓋５上方には溝５０を設け、該溝５０内には穿孔５１を設け、ボルト５２を該穿孔５１内に挿通し、且つ栓５３により上記上蓋５の溝５０内を閉塞するようになっている。
【００１７】
上記タイマー６は、上記上蓋５内に固定されている。該タイマー６は、その最上部にボルトホール６０を設け、底部に柱６１を設け、さらにこの底部に伝動ギア６２とキャッチ部６３とを設けている。
【００１８】
上記駆動リング７は、上記タイマー６下方に設けられている。この駆動リング７中間には貫通孔７０を設け、該駆動リング７の最上部には凹型室７１を設け、該駆動リング７の最上面には複数の突起片７２を設け、且つ該駆動リング７上にはボルト７４を螺合して上記タイマー６の柱６１上に固定すべく複数の穿孔７３を設けている。
【００１９】
上記始動リング８は、上記駆動リング７上に嵌合されている。この始動リング８の壁面には複数の穿孔８０を設け、該穿孔８０内にはピン８１を係入し、該ピン８１を更に駆動リング７のピン孔７５内に挿入するようになっている。上記始動リング８の底部には、等間隔に複数の始動片８２を設け、該始動片８２の片側に傾斜面８３が設けられている。
【００２０】
組立て時においては、図１〜図４に示すように、先ず該濾過部１８の一端を上記本体１底部の凹型槽１７に接続固定し、スプリング１９を該本体１の収容室１０内の環状溝１３に設置し、更に上記延伸棒台座２を該本体１の収容室１０内に設置する。上記収容室１０内の柱１１が上記延伸棒台座２の穿孔２０を挿通し、該延伸棒台座２の突起部２４が上記本体１の滑動槽１２内に設置され、該延伸棒台座２が該収容室１０内で上下に作動し、且つ回転しない状態を呈する。また、上記延伸棒台座２が、スプリング１９の弾力により上方へ持ち上げられるとき、該延伸棒台座２底部の延伸棒２５は上記本体１の穿孔１４、並びに該本体１底部の濾過部１８の空洞部１８０を貫通する。
【００２１】
次に、上記ストッパー２７を延伸棒２５に嵌合し、上記カップ４の嵌合縁４０が本体１底部の嵌合体１０１上に嵌合される、即ち該カップ４が該本体１の下方に嵌合され、上記延伸棒２５底部のストッパー２７が該カップ４底部の穿孔４１内を塞ぐ。
【００２２】
上記枢軸３６によって上記定位嵌合部３５を定位部３４内に樞設するが、スプリング３７が上記固定部３の貫通孔３３内にて定位嵌合部３５の上端を押圧すことにより、該定位嵌合部３５の下端が外側に突出し、該固定部３を上記本体１の収容室１０上に位置させ、該固定部３が該本体１の柱１１により押されることで、該収容室１０上にて定位される。該固定部３は、ボルト３１を穿孔３０に挿通して上記柱１１のねじ穴に螺合させて延伸台座２上に固定され、該固定部３底部の定位部３４は延伸棒台座２の貫通孔２１に係入される。
【００２３】
始動リング８は、上記駆動リング７上に嵌合されるが、ピン８１が該駆動リング７のピン孔７５を挿設し、更にボルト７４により該駆動リング７をタイマー６の底部に固定する。上記タイマー６底部のキャッチ部６３は、駆動リング７の貫通孔７０を貫通し、更にボルト５２を該上蓋５の穿孔５１に挿通し、該タイマー６を該上蓋５内に固定する。更に、栓５３により上記上蓋５の溝５０内を閉塞し、最後に上蓋５及びその内部の構造が一括して上記本体１上方に設置される。そして、上記上蓋５内の始動リング８の始動片８２が、上記本体１の収容室１０内に挿設され、始動片８２の傾斜面８３が延伸棒台座２のガイドブロック２２片側の傾斜面２３に接近すると、タイマー６のキャッチ部６３が該固定部３のキャッチ部３２に挿設固定され、全体の組立てが完成する。
【００２４】
使用時においては、図５〜７に示すように、先ずカップ４を上記本体１底部より取り外し、該本体１を逆さに置き、該本体１底部の凹型室１５内に適量の茶葉９０（図５参照）を装入する。上記カップ４を上記本体１の底部上に設置し、こうして延伸棒２５底部のストッパー２７が該カップ４底部の穿孔４１内に穿設及び蓋をする状態にする。続いて、一般の容器９１（コップ等）中に湯を注ぎ、本実施例におけるお茶入れ機全体の向きを該容器９１上にて正す（図６参照）。すると、茶葉９０が上記カップ４内に落ち、上記本体１の底部と該カップ４が該容器９１内に位置し、湯が該本体１の底部と該カップ４に至り、上蓋５を所望の時間の記された位置にまで至らしめると、該上蓋５が回転を始め、該上蓋５内のタイマー６、駆動リング７及び始動リング８がこれと共に回転する。該タイマー６のキャッチ部６３が、固定部３のキャッチ部３２に接触すると、該キャッチ部６３は回転を止め、上記始動リング８底部の始動片８２の傾斜面８３と上記本体１内の延伸棒２のガイドブロック２２の傾斜面２３とが反対方向を呈し、且つ延伸棒台座２が上記滑動槽１２内の突起部２４により制限を受け、該延伸棒台座２が該始動リング８と共に回転することなく、つまり該始動片８２に押されて上下に作動するのみとなり、該駆動リング７が該上蓋５に連動して回転するとき、底部の駆動ブロック７５が該固定部３の貫通孔３３内の定位嵌合部３５を圧し、片側に設けられたスプリング３７が圧縮され、定位嵌合部３５が枢軸３６を軸心として、該定位嵌合部３５の下端が内側に向かって移動し、該延伸棒台座２が下に移動するのを阻止しない。
【００２５】
上記始動リング８の始動片８２は、延伸棒台座２のガイドブロック２２最上部縁に接触すると、延伸棒台座２が該始動リング８によって下側へと押圧されて最下位へ至って下方のスプリング１９を圧縮し、該延伸棒台座２を下方へ移動させた後、駆動リング７底部の駆動ブロック７６は既に定位嵌合部３５の位置から離れ、該定位嵌合部３５はスプリング３７の回復力を受けず、該定位嵌合部３５の下端は外向きに移動して、該延伸棒台座２の貫通孔２１上縁に密着し（図７参照）、該延伸棒台座２を定位し、該延伸棒台座２が下方に移動するのに伴い、延伸棒２５がストッパー２７を伴って下方へ移動し、該ストッパー２７がカップ４底部の穿孔４１を離れ、湯が該カップ４の穿孔４１を通じ、濾過部１８の濾過孔１８１を経て該カップ４内に浸入し、該カップ４内の茶葉９０が湯に浸される。上記タイマー６は、上蓋５の回転と共に回転することで時間が計られ、駆動リング７底部の駆動ブロック７６が固定部３の定位嵌合部３５位置にまで至ると、該駆動ブロック７６が該定位嵌合部３５を圧し、片側に設けられたスプリング３７を圧縮して該定位嵌合部３５の下端が再度内側に戻り、該延伸棒台座２が阻まれることなく上へ移動する。
【００２６】
始動リング８底部に設けた始動片８２の傾斜面８３が回転して上記延伸棒台座２のガイドブロック２２の傾斜面２３と接触するとき、該延伸棒台座２は始動リング８の始動片８２底部に押されず、よってスプリング１９の回復力によりゆっくりと上記延伸棒台座２と延伸棒２５とが上へ戻り、該始動片８２の傾斜面８３とガイドブロック２２の傾斜面２３とが完全に密着したとき（即ち設定時間に達したとき）、該延伸棒２５下端のストッパー２７も共に上へ移動し、カップ４の穿孔４１を再び塞ぎ、該カップ４内の茶葉９０と容器９１内のお茶となった湯とが隔離され、該茶葉９０は湯に浸り続けることがない。
【００２７】
図６に示すように、使用者は好みに応じて茶葉が湯に浸っている時間を設定できる他、使用後に茶葉を取りだすときは、上記カップ４を上記本体１の底部より取り外して茶葉を捨てるだけの簡単操作で使用を終了する。
【図面の簡単な説明】
【００２８】
【図１】本発明の実施例を示す立体分解図である。
【図２】本実施例を他の角度から見た立体分解図である。
【図３】本実施例の立体図である。
【図４】本実施例の断面図である。
【図５】本実施例において、カップを開けて茶葉を本体底部の凹型室に装入した様子を示す説明図である。
【図６】本実施例において、容器内に茶葉が入れられる前の様子を示す説明図である。
【図７】本実施例において、容器内に茶葉が入れられた様子を示す説明図である。
【符号の説明】
【００２９】
１  本体
１０  収容室
１００  凸型縁
１０１  嵌合体
１１  柱
１２  滑動槽
１３  環状溝  
１４  穿孔
１５  凹型室
１６  突出部
１７  凹型槽
１８  濾過部
１８０  空洞部
１８１  濾過孔
１９  スプリング
２  延伸棒台座
２０  穿孔
２１  貫通孔
２２  ガイドブロック
２３  傾斜面
２４  突起部
２５  延伸棒
２６  環状溝
２７  ストッパー
２７０  嵌合溝
３  固定部
３０  穿孔
３１  ボルト
３２  キャッチ部
３３  貫通孔
３４  定位部
３５  定位嵌合部
３６  枢軸
３７  スプリング
４  カップ
４０  嵌合縁
４１  穿孔
５  上蓋
５０  溝  
５１  穿孔
５２  ボルト
５３  栓
６  タイマー
６０  ボルトホール
６１  柱
６２  伝動ギア
６３  キャッチ部
７  駆動リング
７０  貫通孔
７１  凹型室
７２  突起片
７３  穿孔
７４  ボルト
７５  ピン孔
７６  駆動ブロック
８  始動リング
８０  穿孔
８１  ピン
８２  始動片
８３  傾斜面
９０  茶葉
９１  容器
【図１】
2007175219.tif 000003
【図２】
2007175219.tif 000004
【図３】
2007175219.tif 000005
【図４】
2007175219.tif 000006
【図５】
2007175219.tif 000007
【図６】
2007175219.tif 000008
【図７】
2007175219.tif 000009